(57)【要約】【課題】ゴルフマットにおいて、打球方向の設定精度を向上させる。【解決手段】ゴルフマットＳ１は、円形状の人工芝１０を有する芝部１と、人工芝１０を囲むように設けられており、芝部１の中心を回転中心として回転可能な回転部２と、を有し、芝部１は、ゴルフボールＢのターゲット方向を示す中央マーカー１２と、中央マーカー１２の両側に所定の角度間隔で配置された複数の角度表示マーカー１３を有し、回転部２は、ゴルフボールＢを打つためのスイング方向を示す第１方向指示マーカー２０を有する。【選択図】図１
2018082782.tif 000002
【特許請求の範囲】
【請求項１】
円形状の人工芝を有する芝部と、
前記人工芝を囲むように設けられており、前記芝部の中心を回転中心として回転可能な回転部と、
を有し、
前記芝部は、ゴルフボールのターゲット方向を示す中央マーカーと、前記中央マーカーの両側に所定の角度間隔で配置された複数の角度表示マーカーを有し、
前記回転部は、前記ゴルフボールを打つためのスイング方向を示す第１方向指示マーカーを有することを特徴とする、
ゴルフマット。
【請求項２】
前記芝部は、
前記人工芝を固定する円形の土台部と、
前記土台部上に固定された前記人工芝と、
を有することを特徴とする、
請求項１に記載のゴルフマット。
【請求項３】
前記回転部は、前記第１方向指示マーカーと、前記第１方向指示マーカーが設けられた位置に対して前記芝部の径方向における反対側の位置に設けられた第２方向指示マーカーとを有することを特徴とする、
請求項１又は２に記載のゴルフマット。
【請求項４】
前記回転部は、前記ゴルフボールを載置する位置を示すボール位置指示部をさらに有することを特徴とする、
請求項３に記載のゴルフマット。
【請求項５】
前記ボール位置指示部は、一端が、前記第１方向指示マーカーと前記第２方向指示マーカーとの中間位置に設けられており、他端が前記ゴルフボールを載置する位置の方向を示す、前記一端を中心に回転可能な線状部材を有することを特徴とする、
請求項４に記載のゴルフマット。
【請求項６】
前記芝部は、前記ボール位置指示部が回転可能な領域に前記人工芝が設けられていないことを特徴とする、
請求項５に記載のゴルフマット。
【請求項７】
前記回転部は、前記ゴルフボールを打つ人の足の位置を示す複数の棒状部材を結合するための結合部をさらに有することを特徴とする、
請求項１から６のいずれか一項に記載のゴルフマット。
【請求項８】
前記結合部は、前記回転部の回転方向に沿って位置が可変の、前記複数の棒状部材を固定する複数の固定部を有することを特徴とする、
請求項７に記載のゴルフマット。
【請求項９】
前記複数の固定部は、前記複数の棒状部材の一端が前記芝部の中心位置を向くように前記複数の棒状部材を固定することを特徴とする、
請求項７又は８に記載のゴルフマット。
【発明の詳細な説明】
【技術分野】
【０００１】
本発明は、ゴルフマットに関するものである。
【背景技術】
【０００２】
現在、ゴルフの練習時にゴルフ用マットが用いられている。特許文献１には、ゴルフ練習時に、打球方向を示すことができるゴルフ練習用人工芝マットが開示されている。特許文献１では、人工芝可動円形マットの中心部に、ゴムティを通すための穴が設けられており、人工芝可動円形マットに円の中心を通る直角に交差した十字の直線が描かれている。
【先行技術文献】
【特許文献】
【０００３】
【特許文献１】特開２００６−３４９３３号公報
【発明の概要】
【発明が解決しようとする課題】
【０００４】
特許文献１の人工芝可動円形マットでは、ゴムティ用穴を中心として十字直線を動かすことにより、打球方向を自由に定めることができる。しかし、打球方向の設定を精度よく行うことが困難であるという問題が生じていた。
【０００５】
そこで、本発明はこれらの点に鑑みてなされたものであり、打球方向の設定精度を向上させることが可能なゴルフマットを提供することを目的とする。
【課題を解決するための手段】
【０００６】
本発明の第１の態様においては、円形状の人工芝を有する芝部と、前記人工芝を囲むように設けられており、前記芝部の中心を回転中心として回転可能な回転部と、を有し、前記芝部は、ゴルフボールのターゲット方向を示す中央マーカーと、前記中央マーカーの両側に所定の角度間隔で配置された複数の角度表示マーカーを有し、前記回転部は、前記ゴルフボールを打つためのスイング方向を示す第１方向指示マーカーを有することを特徴とする、ゴルフマットを提供する。
【０００７】
また、前記芝部は、前記人工芝を固定する円形の土台部と、前記土台部上に固定された前記人工芝と、を有していてもよい。また、前記回転部は、前記第１方向指示マーカーと、前記第１方向指示マーカーが設けられた位置に対して前記芝部の径方向における反対側の位置に設けられた第２方向指示マーカーとを有していてもよい。
【０００８】
また、前記回転部は、前記ゴルフボールを載置する位置を示すボール位置指示部をさらに有していてもよい。また、前記ボール位置指示部は、一端が、前記第１方向指示マーカーと前記第２方向指示マーカーとの中間位置に設けられており、他端が前記ゴルフボールを載置する位置の方向を示す、前記一端を中心に回転可能な線状部材を有していてもよい。
【０００９】
また、前記芝部は、前記ボール位置指示部が回転可能な領域に前記人工芝が設けられていなくてもよい。また、前記回転部は、前記ゴルフボールを打つ人の足の位置を示す複数の棒状部材を結合するための結合部をさらに有していてもよい。
【００１０】
前記結合部は、前記回転部の回転方向に沿って位置が可変の、前記複数の棒状部材を固定する複数の固定部を有していてもよい。また、前記複数の固定部は、前記複数の棒状部材の一端が前記芝部の中心位置を向くように前記複数の棒状部材を固定していてもよい。
【発明の効果】
【００１１】
本発明によれば、ゴルフマットにおいて、打球方向の設定精度を向上させることができるという効果を奏する。
【図面の簡単な説明】
【００１２】
【図１】第１の実施形態に係るゴルフマットＳ１の構成を示す。
【図２】図１のゴルフマットＳ１のＸ−Ｘ線断面図を示す。
【図３】第１の実施形態に係るゴルフマットＳ１の使用例１を示す。
【図４】第２の実施形態に係るゴルフマットＳ２の構成を示す。
【図５】第３の実施形態に係るゴルフマットＳ３の構成を示す。
【発明を実施するための形態】
【００１３】
＜第１の実施形態＞
図１は、第１の実施形態に係るゴルフマットＳ１の構成を示す図である。図２は、図１のゴルフマットＳ１のＸ−Ｘ線断面図である。
ゴルフマットＳ１は、ユーザーが、ゴルフのスイングを練習するためのマットである。ゴルフマットＳ１は、芝部１と回転部２とを有する。
【００１４】
芝部１は、円形状である。芝部１は、人工芝１０と土台部１１とを有する。人工芝１０は、円形状である。土台部１１は、人工芝１０を固定する円形の部材である。土台部１１は、例えば、合成樹脂製である。人工芝１０は、例えば面ファスナーにより、着脱可能に土台部１１上に固定されている。土台部１１の中心は、人工芝１０の中心と同じ位置にある。土台部１１の直径は、人工芝１０の直径以上の大きさである。
【００１５】
芝部１は、中央マーカー１２と角度表示マーカー１３とを有する。中央マーカー１２は、ゴルフボールＢのターゲット方向を示すマーカーである。ユーザーがゴルフマットＳ１を使用する際、中央マーカー１２は、芝部１の中心とターゲット地点とを結ぶ直線上に位置する。
【００１６】
角度表示マーカー１３は、中央マーカー１２の両側に所定の角度範囲で配置された複数のマーカーである。中央マーカー１２と角度表示マーカー１３は、芝部１の外周縁に沿うように外周縁付近に描かれている。具体的には、中央マーカー１２と角度表示マーカー１３とは、土台部１１の上面における外縁付近に描かれている。角度表示マーカー１３は、例えば、中央マーカー１２の両側に４個ずつ描かれており、角度表示マーカー１３の各間隔は、６°であるが、角度表示マーカー１３の個数及び各間隔の角度は任意である。また、中央マーカー１２と角度表示マーカー１３は、例えば、円形状を有するが、中央マーカー１２と角度表示マーカー１３の形状は任意である。
【００１７】
回転部２は、人工芝１０を囲むように設けられており、芝部１の中心を回転中心として回転可能な部材である。回転部２は、円環形状であり、表面の位置が人工芝１０の表面の位置と同じ高さか、人工芝１０の表面の位置よりも低くなっている。回転部２は、例えば、無色透明の合成樹脂製である。回転部２は、土台部１１の上部に設けられているが、回転部２が無色透明なので、ユーザーは、土台部１１に設けられた中央マーカー１２及び複数の角度表示マーカー１３を視認することができる。
【００１８】
回転部２の内径は、例えば、人工芝１０の外径よりも大きいが、回転部２の内径は、人工芝１０の外径と同じ大きさであってもよい。回転部２の外径は、例えば、土台部１１の外径と同じ大きさであるが、回転部２の外径は土台部１１の外径よりも小さくてもよいし、大きくてもよい。
【００１９】
回転部２は、第１方向指示マーカー２０、第２方向指示マーカー２１、ボール位置指示部２２、結合部２３、及び棒状部材２４を有する。第１方向指示マーカー２０は、ユーザーがゴルフマットＳ１上に置かれたゴルフボールＢを打つ際における、スイングの方向を示すマーカーである。第２方向指示マーカー２１は、第１方向指示マーカー２０が設けられた位置に対して芝部１の径方向における反対側の位置に設けられているマーカーである。
【００２０】
ユーザーは、ゴルフマットＳ１上に置かれたゴルフボールＢを打つ際に、第２方向指示マーカー２１から第１方向指示マーカー２０に向かってスイングすることで、打球の向きを調整することができる。なお、第１方向指示マーカー２０と第２方向指示マーカー２１は、例えば、三角形状であるが、第１方向指示マーカー２０と第２方向指示マーカー２１の形状は任意である。
【００２１】
ボール位置指示部２２は、ゴルフボールＢを載置する位置を示す部材である。ボール位置指示部２２は、例えば棒形状の線状部材２２０を有する。線状部材２２０は、一端が、第１方向指示マーカー２０と第２方向指示マーカー２１との中間位置に設けられており、他端がゴルフボールＢを載置する位置の方向を示す、上記の一端を中心に回転可能な部材である。
【００２２】
芝部１は、ボール位置指示部２２が回転可能な領域に人工芝１０が設けられていない。土台部１１の当該領域には、ボール位置指示マーカー２２１が描かれている。ボール位置指示マーカー２２１は、例えば、ユーザーが使用するクラブの種類を示す記号（例えば、Ｓ、Ｍ、Ｌ）を含む。ボール位置指示部２２が回転可能な領域に人工芝１０が設けられていないことにより、芝部１よりも低い回転部２にボール位置指示部２２が設けられていても、ユーザーは、ボール位置指示部２２の位置を自在に変更することができる。
【００２３】
ユーザーは、ゴルフマットＳ１上にゴルフボールＢを置く際に、線状部材２２０の長手方向における、芝部１の中心側の端部を、ボール位置指示マーカー２２１の任意の位置に合わせる。例えば、ユーザーがドライバーを用いる際には、線状部材２２０の長手方向における芝部１の中心側の端部をボール位置指示マーカー２２１におけるＬの位置に合わせる。そして、ユーザーは、中央マーカー１２と芝部１の中心とを結ぶ直線と、線状部材２２０の延長線との交点にゴルフボールＢを置く。このように、ゴルフマットＳ１は、ボール位置指示部２２を有するので、ユーザーは、使用するクラブに応じて適した位置にゴルフボールＢを置くことができる。
【００２４】
結合部２３は、ゴルフボールＢを打つ人の足の位置を示す複数の棒状部材２４を結合するための部材である。結合部２３は、例えば、無色透明の合成樹脂製の板状部材であり、幅広の円弧形状を有する。結合部２３は、回転部２の上面に着脱可能であり、回転部２の回転方向の任意の位置に設置することができる。
【００２５】
結合部２３は、複数の固定部２３１を有する。複数の固定部２３１は、複数の棒状部材２４を固定する部材である。複数の固定部２３１は、結合部２３上を、回転部２の回転方向に沿って位置を変えることができる。複数の固定部２３１は、複数の棒状部材２４の一端が芝部１の中心位置を向くように複数の棒状部材２４を固定する。
【００２６】
棒状部材２４は、ユーザーが両足の位置を決めるために用いる部材である。棒状部材２４は、例えば、棒形状を有する。ユーザーは、スイングをする際に、例えば、両足のつま先の外側の位置が、それぞれ、複数の棒状部材２４に接するような位置にする。ゴルフマットＳ１は、このように複数の棒状部材２４を固定することができるので、ユーザーは、スイングをする際における最も適した位置に、両足を位置させることができる。
【００２７】
図３は、第１の実施形態に係るゴルフマットＳ１の使用例１を示す。
使用例１は、例えば、ユーザーがドローボールを打つ場合に回転部２を回転させた状態を示している。具体的には、ユーザーは、回転部２を時計回りの向きに回転させて、回転部２の第１方向指示マーカー２０を複数の角度表示マーカー１３のうち、中央マーカー１２の右側における所望の位置の角度表示マーカー１３に合わせる。ユーザーは、ショットが成功した際の第１方向指示マーカー２０の位置を記憶しておくことで、成功したショットを再現しやすくなる。特に、回転部２に、微小な角度ごとに複数の角度表示マーカー１３が設けられているので、ユーザーはスイング方向を微調整できる。
【００２８】
ユーザーが回転部２を回転させると、回転部２に一端が固定されている線状部材２２０も同時に移動する。そして、ユーザーは、線状部材２２０の長手方向における回転部２と固定されていない側の端部をボール位置指示マーカー２２１の任意の位置に合わせる。例えば、ユーザーがドライバーを用いる場合には、線状部材２２０の長手方向における回転部２と固定されていない側の端部をボール位置指示マーカー２２１におけるＬの位置に合わせる。
【００２９】
そして、ユーザーは、中央マーカー１２と芝部１の中心とを結ぶ直線と、線状部材２２０の延長線との交点にゴルフボールＢを置く。このようにして、回転部２が回転し、線状部材２２０も同時に移動することにより、ゴルフボールＢを置く位置が、ドローボールを打つ場合に適した位置に変わる。
【００３０】
ユーザーが回転部２を回転させると、結合部２３及び棒状部材２４も回転部２とともに回転する。棒状部材２４が回転すると、ユーザーは、ドローボールを打つ場合に適した棒状部材２４の位置にあわせて両足の位置を変更することができる。例えば、図３に示されるゴルフマットＳ１の場合には、ユーザーは、左足を右足よりもゴルフマットＳ１に近い位置に配置することで、ドローボールを打つ際に必要なスタンスでスイングをすることが可能になる。
【００３１】
なお、ユーザーがフェードボールを打ちたい場合、ユーザーは、回転部２を反時計回りの向きに回転させて、回転部２の第１方向指示マーカー２０を複数の角度表示マーカー１３のうち、中央マーカー１２の左側における所望の位置の角度表示マーカー１３に合わせればよい。
【００３２】
［第１の実施形態に係るゴルフマットＳ１による効果］
第１の実施形態に係るゴルフマットＳ１は、円形状の人工芝１０を有する芝部１と、人工芝１０を囲むように設けられており、芝部１の中心を回転中心として回転可能な回転部２と、を有する。芝部１は、ゴルフボールＢのターゲット方向を示す中央マーカー１２の両側に所定の角度間隔で配置された複数の角度表示マーカー１３を有し、回転部２は、ゴルフボールＢを打つためのスイング方向を示す第１方向指示マーカー２０を有する。
【００３３】
第１の実施形態に係るゴルフマットＳ１においては、複数の角度表示マーカー１３が芝部１の外周付近に設けられており、ユーザーが回転部２を回転させることにより、第１方向指示マーカー２０の位置を微調整できるので、ユーザーが打球方向の調整を精度よく行うことが可能となる。
【００３４】
＜第２の実施形態＞
図４は、第２の実施形態に係るゴルフマットＳ２の構成を示す図である。図４は、図１におけるゴルフマットＳ１をゴルフマットＳ２に置換したときのＸ−Ｘ線断面図である。
第２の実施形態に係るゴルフマットＳ２は、第１の実施形態に係るゴルフマットＳ１と比べて、人工芝１０ａの直径と土台部１１ａの直径とが同じである点、回転部２ａが土台部１１ａの外側に位置する点で、ゴルフマットＳ１と異なる。このような構成においては、人工芝１０ａに中央マーカー１２及び角度表示マーカー１３を設けることで、ゴルフマットＳ１と同等の効果を得ることが可能になる。
【００３５】
芝部１ａは、芝部１と同様に、人工芝１０ａと土台部１１ａとを有する。人工芝１０ａは、円形状である。土台部１１ａは、人工芝１０ａを固定する円形の部材である。土台部１１ａは、例えば、合成樹脂製である。人工芝１０ａは、土台部１１ａ上に固定されている。土台部１１ａの中心は、人工芝１０ａの中心と同じ位置にある。土台部１１ａの直径は、人工芝１０ａの直径と同じ大きさである。中央マーカー１２と角度表示マーカー１３とは、人工芝１０ａの上面における外縁付近に描かれている。
【００３６】
回転部２ａは、人工芝１０ａを囲むように設けられており、芝部１ａの中心を回転中心として回転可能な部材である。回転部２ａは、円環形状である。回転部２ａは、土台部１１ａの外側に設けられている。回転部２ａの内径は、例えば、人工芝１０ａ及び土台部１１ａの外径と同じ大きさであるが、回転部２ａの内径は、人工芝１０ａ及び土台部１１ａの外径よりも大きくてもよい。回転部２ａは、回転部２と同様に、第１方向指示マーカー２０、第２方向指示マーカー２１、ボール位置指示部２２、結合部２３、及び棒状部材２４を有する。
【００３７】
＜第３の実施形態＞
図５は、第３の実施形態に係るゴルフマットＳ３の構成を示す図である。図５は、図１におけるゴルフマットＳ１をゴルフマットＳ３に置換したときのＸ−Ｘ線断面図である。
第３の実施形態に係るゴルフマットＳ３は、第１の実施形態に係るゴルフマットＳ１と比べて、回転部２ｂが土台部１１ｂの外側に位置する点で異なる。
【００３８】
芝部１ｂは、芝部１と同様に、人工芝１０ｂと土台部１１ｂとを有する。人工芝１０ｂは、円形状である。土台部１１ｂは、人工芝１０ｂを固定する円形の部材である。土台部１１ｂは、例えば、合成樹脂製である。人工芝１０ｂは、土台部１１ｂ上に固定されている。土台部１１ｂの中心は、人工芝１０ｂの中心と同じ位置にある。土台部１１ｂの直径は、人工芝１０ｂの直径よりも大きい。土台部１１ｂは、土台部１１と同様に、中央マーカー１２と角度表示マーカー１３とを有する。中央マーカー１２と角度表示マーカー１３とは、土台部１１ｂの上面における外縁付近に描かれている。
【００３９】
回転部２ｂは、人工芝１０ｂを囲むように設けられており、芝部１ｂの中心を回転中心として回転可能な部材である。回転部２ｂは、円環形状である。回転部２ｂは、土台部１１ｂの外側に設けられている。回転部２ｂの内径は、例えば、土台部１１ｂの外径と同じ大きさであるが、回転部２ｂの内径は、土台部１１ｂの外径よりも大きくてもよい。回転部２ｂは、回転部２と同様に、第１方向指示マーカー２０、第２方向指示マーカー２１、ボール位置指示部２２、結合部２３、及び棒状部材２４を有する。
【００４０】
以上、本発明を実施の形態を用いて説明したが、本発明の技術的範囲は上記実施の形態に記載の範囲には限定されない。上記実施の形態に、多様な変更又は改良を加えることが可能であることが当業者に明らかである。そのような変更又は改良を加えた形態も本発明の技術的範囲に含まれ得ることが、特許請求の範囲の記載から明らかである。
【００４１】
例えば、上記の説明においては、芝部１が人工芝１０及び土台部１１を有する例を示したが、芝部１が土台部１１を有しておらず、人工芝１０から構成されていてもよい。また、上記の説明においては、回転部２が無色透明であり、土台部１１が有する中央マーカー１２と複数の角度表示マーカー１３とが回転部２の下方に位置する例を示したが、回転部２が無色透明ではなく、土台部１１の表面における回転部２の内縁と人工芝１０の外縁との間、又は人工芝１０の表面に、中央マーカー１２と複数の角度表示マーカー１３とが設けられていてもよい。
【符号の説明】
【００４２】
Ｓ１、Ｓ２、Ｓ３・・・ゴルフマット
Ｂ・・・ゴルフボール
１、１ａ、１ｂ・・・芝部
１０、１０ａ、１０ｂ・・・人工芝
１１、１１ａ、１１ｂ・・・土台部
１２・・・中央マーカー
１３・・・角度表示マーカー
２、２ａ、２ｂ・・・回転部
２０・・・第１方向指示マーカー
２１・・・第２方向指示マーカー
２２・・・ボール位置指示部
２２０・・・線状部材
２２１・・・ボール位置指示マーカー
２３・・・結合部
２３１・・・固定部
２４・・・棒状部材
【図１】
2018082782.tif 000003
【図２】
2018082782.tif 000004
【図３】
2018082782.tif 000005
【図４】
2018082782.tif 000006
【図５】
2018082782.tif 000007